(57)【要約】【課題】意匠的な豊富さ、自由度を得ることができるとともに、それ自体が高い耐水性を有する床板を提供する。【解決手段】基板４の両面にそれぞれ化粧シート６、８を接着するとともに、これら基板の両面に接着した化粧シートに互いに異なる意匠を付与した両面化粧床板とする。両化粧シートに互いに異なる意匠を付与する手段としては、両化粧シートを互いに異なる模様とする手段、両化粧シートを互いに異なる色とする手段、床板の片面あるいは両面に溝を設けて両化粧シートを互いに異なる形状とする手段等が挙げられる。【選択図】　　　　図１
2004052326.tif 000002
【特許請求の範囲】
【請求項１】
基板の両面にそれぞれ化粧シートを接着するとともに、これら基板の両面に接着した化粧シートに互いに異なる意匠を付与してなることを特徴とする両面化粧床板。
【請求項２】
基板の両面に接着した化粧シートに互いに異なる意匠を付与する手段として、両化粧シートを互いに異なる模様とする手段、両化粧シートを互いに異なる色とする手段、もしくは床板の片面あるいは両面に溝を設けて両化粧シートを互いに異なる形状とする手段、または前記３つの手段の内の２つ以上を併用する手段を採用したことを特徴とする請求項１に記載の両面化粧床板。
【請求項３】
基板が木質系基板または合成樹脂系基板であることを特徴とする請求項１または２に記載の両面化粧床板。
【請求項４】
基板が厚さ２．５〜３．５ｍｍの木質系基板であり、リフォーム用床板として構成されていることを特徴とする請求項１〜３のいずれか１項に記載の両面化粧床板。
【請求項５】
基板の両面に接着した化粧シートの物性および厚さがほぼ等しいことを特徴とする請求項１〜４のいずれか１項に記載の両面化粧床板。
【発明の詳細な説明】
【０００１】
【発明の属する技術分野】
本発明は、住宅や店舗のフローリングなどに使用される床板に関する。
【０００２】
【従来の技術】
従来、住宅や店舗のフローリング用床板として、合板等からなる基板の表面に化粧シートを接着し、さらにその上にＵＶ塗装などの塗装を施したものがある。
【０００３】
【発明が解決しようとする課題】
しかし、前述した従来のフローリング用床板は、同一柄の床板を複数枚接続して施工するものであるため、施工後には施工箇所全面が同じ柄となり、意匠的な豊富さ、自由度に乏しいものであった。
【０００４】
また、近年では、前述のようなフローリング用床板を台所、洗面所といった水を使用する場所に施工することが多くなっている。そのため、施工後の床に耐水性を付与するために、床下地とフローリング用床板との間に防水シートを配置することが行われている。しかし、従来のフローリング用床板は、それ自体が高い耐水性を有するものではなかった。
【０００５】
本発明は、前述した事情に鑑みてなされたもので、意匠的な豊富さ、自由度を得ることができるとともに、それ自体が高い耐水性を有する床板を提供することを目的とする。
【０００６】
【課題を解決するための手段】
本発明は、前記目的を達成するため、基板の両面にそれぞれ化粧シートを接着するとともに、これら基板の両面に接着した化粧シートに互いに異なる意匠を付与してなることを特徴とする両面化粧床板を提供する。
【０００７】
本発明の両面化粧床板は、基板の表面のみならず、裏面にも化粧シートを接着してあるので、裏面の化粧シートの作用によって床板それ自体が高い耐水性を有する。また、基板の両面に接着した化粧シートに互いに異なる意匠を付与しているので、複数枚の床板を、全部表面を上向きして施工したり、全部裏面を上向きして施工したり、一部は表面を上向き、残部は裏面を上向きして施工したりすることにより、意匠的な豊富さ、自由度を得ることができる。
【０００８】
以下、本発明につきさらに詳しく説明する。本発明において、基板の種類、厚さ、形状等に限定はなく、目的等に応じて適宜決定することができる。具体的には、基板の種類は、例えば合板、ＭＤＦ等の木質系基板、あるいはプラスチックボード等の合成樹脂系基板とすることができる。基板の厚さは、例えば１〜２０ｍｍの範囲とすることができる。基板の形状は、例えば３０×９０ｃｍあるいは３０×１８０ｃｍ程度の長方形や、６０×６０ｃｍ程度の正方形とすることができる。また、化粧シートとしては、例えば紙あるいはプラスチックからなるものを用いることができる。
【０００９】
本発明では、基板の両面に接着した化粧シートに互いに異なる意匠を付与する。この場合、意匠とは、化粧シートの模様、色彩もしくは形状またはこれらの結合をいう。基板の両面に接着した化粧シートに互いに異なる意匠を付与する手段としては、例えば、両化粧シートを互いに異なる模様とする手段、両化粧シートを互いに異なる色とする手段、もしくは床板の片面あるいは両面に溝を設けて両化粧シートを互いに異なる形状とする手段、または上記３つの手段の内の２つ以上を併用する手段等が挙げられるが、これらに限定されるものではない。
【００１０】
また、本発明では、必要に応じ、化粧シートに着色塗装や表面塗装を施したり、床板表面にエンボスによる模様を形成したり、床板側面に本実加工や合じゃくり実加工等の実加工を施したりすることができる。
【００１１】
【発明の実施の形態】
図１は本発明に係る両面化粧床板の一実施形態を示す断面図、図２（ａ）は同床板の表面を表す図、図２（ｂ）は同床板の裏面を表す図で、この床板２は住宅や店舗のリフォームに使用される薄いリフォーム用の木質系床板として構成されている。
【００１２】
本例の床板２は、厚さ２．５〜３．５ｍｍ（好ましくは３ｍｍ程度）、幅３００ｍｍ×長さ９００ｍｍ程度の長方形の合板からなる基板４の表面および裏面に互いに模様が異なる化粧シート６、８を接着し、これら化粧シート６、８の上にＵＶ塗装などの単層または多層の塗装１０、１２を施したものである。
【００１３】
本例の床板２は、裏面の化粧シート８の作用によって床板２それ自体が高い耐水性を有する。また、両化粧シート６、８を互いに異なる模様としてあるので、複数枚の床板２の表裏の向きを適宜工夫して施工することにより、意匠的な豊富さ、自由度を得ることができる。
【００１４】
また、本例の床板２は厚さが薄いため、リフォームを行う場合、既存の床の上に両面テープを用いて釘を使わずに短時間で施工することができ、またドアの開閉の妨げにもならない。さらに、本例の床板２は、それ自体が高い耐水性を有するため、下地の床板と床板２との間に防水シートを配置する必要がない。したがって、リフォームに要する施工費や施工時間の低減を図ることができる。
【００１５】
なお、本例では、基板の両面に接着した化粧シートに互いに異なる意匠を付与する手段として、両化粧シートを互いに異なる模様とする手段を採用したが、例えば図３に示すように、床板２の両面に形状、向き等が異なる溝１４、１６を設けて両化粧シート６、８を互いに異なる形状とする手段、床板の片面のみに溝を設けて両化粧シートを互いに異なる形状とする手段（図示せず）、両化粧シートを互いに異なる色とする手段（図示せず）などを採用してもよい。
【００１６】
【発明の効果】
本発明の両面化粧床板は、下記の効果を奏する。
▲１▼基板の両面に接着した化粧シートに互いに異なる意匠を付与しているので、複数枚の床板を、全部表面を上向きして施工したり、全部裏面を上向きして施工したり、一部は表面を上向き、残部は裏面を上向きして施工したりすることにより、意匠的な豊富さ、自由度を得ることができる。
▲２▼基板の表面のみならず、裏面にも化粧シートを接着してあるので、裏面の化粧シートの作用によって床板それ自体が高い耐水性を有する。また、耐水性のみならず、両化粧シートの作用によって高い耐熱性を有する。さらに、裏面の化粧シートの作用によって優れた防湿効果を得ることができる。
▲３▼床板の両面を使用できるため、例えば表面を上向きにして所定期間使用した後、裏面を上向きにして所定期間使用するというような使い方ができ、経済的である。
▲４▼基板の表面のみに化粧シートを接着した従来の床板は、基板表面の化粧シートに起因して反りや捩れが生じることがある。これに対し、本発明の床板は、基板の両面に化粧シートを接着してあるので、基板の表裏面のバランスがよく、反りや捩れが生じにくい。このような効果を得るためには、基板の両面に接着する化粧シートの物性および厚さをほぼ等しくすることが適当である。
【図面の簡単な説明】
【図１】本発明に係る両面化粧床板の一実施形態を示す断面図である。
【図２】（ａ）は図１の床板の表面を表す図、（ｂ）は図１の床板の裏面を表す図である。
【図３】床板の両面に溝を設けて両化粧シートを互いに異なる形状とする手段の一例を示す図である。
【符号の説明】
２　床板
４　基板
６　化粧シート
８　化粧シート
１０　塗装
１２　塗装
１４　溝
１６　溝
【図１】
2004052326.tif 000003
【図２】
2004052326.tif 000004
【図３】
2004052326.tif 000005